(57)【要約】【課題】  連続して複数の番組を視聴する場合に、番組名を容易かつ確実に把握する。【解決手段】  情報記録再生装置１００は、放送ならびに番組名を受信するチューナ１１と、放送が表わす映像を記録するハードディスク装置１２と、番組名および記録位置を対応付けて記録するメモリ１６の第１の領域と、情報を出力するセレクタ１８と、プレイポイントを記録するメモリ１６の第２の領域と、プレイポイントに記録した情報を出力するようにセレクタ１８を制御し、セレクタ１８がプレイポイントに記録した情報を出力すると、プレイポイントおよびその１つ前のアドレスにそれぞれ対応する番組名が一致するか否かを判断し、メモリ１６の第２の領域が記録した情報を、現在のプレイポイントの１つ後のアドレスに更新し、自らが番組名は異なると判断した場合、プレイポイントに対応する番組名を出力するように、セレクタ１８を制御するシステム制御回路１０とを含む。【選択図】        図１
2006041727.tif 000002
【特許請求の範囲】
【請求項１】
放送ならびに前記放送の番組名を受信するチューナと、
前記放送が表わす映像の情報を記録するハードディスクと、
前記放送の番組名の情報を、複数の前記放送の番組名の情報のいずれかに１対１で対応し、前記ハードディスクが映像の情報を記録した位置であって前記映像の情報を出力する時の間隔が一定となる位置それぞれについての複数の位置の情報に、対応付けて記録するメモリの第１の領域と、
情報を表示装置に出力するための出力手段と、
前記出力手段に出力させる映像の情報を記録した前記ハードディスク上の位置である出力位置の情報を記録するメモリの第２の領域と、
前記ハードディスクから、前記出力位置に記録した情報を読出すピックアップ装置と、
前記ピックアップ装置が読出した情報を出力するように前記出力手段を制御するための第１の制御手段と、
前記出力手段が前記出力位置に記録した情報を出力すると、前記出力位置を表わす情報に対応する番組名の情報が、前記出力位置に隣接しかつ情報を出力済みの位置を表わす情報に対応する番組名の情報に一致するか否かを判断するための第１の判断手段と、
前記第１の判断手段が番組名の情報が一致するか否かを判断するたびに、前記メモリの第２の領域が記録した情報を、前記出力位置に隣接しかつ情報を未出力の位置を表わす情報に更新するための更新手段と、
前記判断手段が番組名の情報は異なると判断した場合、前記出力位置を表わす情報に対応する番組名の情報をスクロール表示する情報として出力するように、前記出力手段を制御するための第２の制御手段とを含む、ハードディスクレコーダ。
【請求項２】
放送ならびに前記放送の番組名を受信するための受信手段と、
前記放送が表わす映像の情報を記録するための第１の記録手段と、
前記放送の番組名の情報を、前記第１の記録手段が映像の情報を記録した位置である記録位置の情報に、対応付けて記録するための第２の記録手段と、
情報を出力するための出力手段と、
前記出力手段に出力させる映像の情報を記録した第１の記録手段上の位置である出力位置の情報を記録するための第３の記録手段と、
前記第１の記録手段から、前記出力位置に記録した情報を読出すための読出し手段と、
前記読出し手段が読出した情報を出力するように前記出力手段を制御するための第１の制御手段と、
前記出力手段が前記出力位置に記録した情報を出力すると、前記出力位置を表わす情報に対応する番組名の情報が、前記出力位置に隣接しかつ情報を出力済みの位置を表わす情報に対応する番組名の情報に一致するか否かを判断するための第１の判断手段と、
前記出力手段が前記出力位置に記録した情報を出力すると、前記第３の記録手段が記録した情報を、前記出力位置に隣接しかつ情報を未出力の位置を表わす情報に更新するための更新手段と、
前記判断手段が番組名の情報は異なると判断した場合、前記出力位置を表わす情報に対応する番組名の情報を出力するように、前記出力手段を制御するための第２の制御手段とを含む、情報記録再生装置。
【請求項３】
前記記録位置の情報は、前記映像の情報を出力する時の間隔が一定となる位置それぞれについての複数の情報を含む、請求項２に記載の情報記録再生装置。
【請求項４】
前記複数の情報は、複数の前記番組名の情報のいずれかに１対１で対応する情報を含む、請求項３に記載の情報記録再生装置。
【請求項５】
前記出力手段は、情報を表示装置に出力するための手段を含み、
前記第２の制御手段は、前記番組名の情報をスクロール表示する情報として出力するように、前記出力手段を制御するためのスクロール制御手段を含む、請求項２に記載の情報記録再生装置。
【請求項６】
前記スクロール制御手段は、前記スクロール表示する情報を複数回出力するように、前記出力手段を制御するための手段を含む、請求項５に記載の情報記録再生装置。
【発明の詳細な説明】
【技術分野】
【０００１】
本発明は、ハードディスクレコーダおよび情報記録再生装置に関し、特に、複数の番組を連続して再生できるハードディスクレコーダおよび情報記録再生装置に関する。
【背景技術】
【０００２】
従来の番組記録再生システムは、特許文献１に開示されるように、複数の放送チャネルにおける放送番組を受信する複数の受信装置と、受信された放送番組を記録、再生する記録再生装置と、放送番組の受信、記録および再生を制御する制御装置とを備える番組記録再生システムであって、制御装置は、記録、再生装置に記録される放送番組における内容を判別する放送内容判別回路と、記録された放送番組における内容の区切りに区切信号を付与する区切信号付与回路と、区切信号を参照して、記録された放送番組を、その内容の区切りから再生する指示を記録、再生装置に対して与える再生指示回路とを備える。
【０００３】
この発明によると、記録された放送番組をタイムシフト再生（現在放送されているテレビジョン番組を時間を遡らせて視聴する再生のこと）する場合に、放送番組の内容の区切りから再生することが可能となるので、使用者は、容易に放送番組の内容を理解することができる。
【０００４】
あるいは、従来の番組録画再生システムは、特許文献２に開示されるように、テレビジョン放送局が放送するテレビジョン番組についての放映時間や番組名等の番組情報を取得する番組情報取得回路と、テレビジョン番組を録画する１または複数の録画装置と、番組情報取得回路によって取得した番組情報に基づいて、録画装置によってすでに録画済の所望のテレビジョン番組に対して視聴可能な録画場所を見つける録画場所探索回路と、この録画場所探索回路によって視聴可能な録画場所が見つかったときこれを表示する録画場所表示装置と、録画場所探索回路によって見つかったテレビジョン番組をその録画場所から取得して放映する放映装置とを具備する。
【０００５】
この発明によると、番組情報取得処理によって取得された番組情報に基づいて番組の放映済の部分の探索を行えば、タイムシフト再生により、その部分までは時間を遡らせて視聴することができる。
【０００６】
しかし、特許文献１に開示された発明では、連続して複数の番組を視聴する場合、ユーザは次第に自らが視聴している番組の番組名を把握し難くなるという問題点がある。また、特許文献１に開示された発明では、実際の番組の区切りとは何ら関係がない部分から番組が再生されることとなるという問題点がある。このようなことが生じる原因は、放送番組における内容を自動的に正しく判別することが困難な点にある。特許文献２に開示された発明にも、連続して複数の番組を視聴する場合、ユーザは次第に自らが視聴している番組の番組名を把握し難くなるという問題点がある。
【特許文献１】特開２００３−８７７３０号公報
【特許文献２】特開２００３−３３３４８４号公報
【発明の開示】
【発明が解決しようとする課題】
【０００７】
本発明は上述の間遠点を解決するためになされたものであって、その目的は、連続して複数の番組を視聴する場合に、番組名を容易かつ確実に把握できるハードディスクレコーダおよび情報記録再生装置を提供することにある。
【課題を解決するための手段】
【０００８】
上記目的を達成するために、本発明のある局面にしたがうと、ハードディスクレコーダは、放送ならびに放送の番組名を受信するチューナと、放送が表わす映像の情報を記録するハードディスクと、放送の番組名の情報を、複数の放送の番組名の情報のいずれかに１対１で対応し、ハードディスクが映像の情報を記録した位置であって映像の情報を出力する時の間隔が一定となる位置それぞれについての複数の位置の情報に、対応付けて記録するメモリの第１の領域と、情報を表示装置に出力するための出力手段と、出力手段に出力させる映像の情報を記録したハードディスク上の位置である出力位置の情報を記録するメモリの第２の領域と、ハードディスクから、出力位置に記録した情報を読出すピックアップ装置と、ピックアップ装置が読出した情報を出力するように出力手段を制御するための第１の制御手段と、出力手段が出力位置に記録した情報を出力すると、出力位置を表わす情報に対応する番組名の情報が、出力位置に隣接しかつ情報を出力済みの位置を表わす情報に対応する番組名の情報に一致するか否かを判断するための第１の判断手段と、第１の判断手段が番組名の情報が一致するか否かを判断するたびに、メモリの第２の領域が記録した情報を、出力位置に隣接しかつ情報を未出力の位置を表わす情報に更新するための更新手段と、判断手段が番組名の情報は異なると判断した場合、出力位置を表わす情報に対応する番組名の情報をスクロール表示する情報として出力するように、出力手段を制御するための第２の制御手段とを含む。
【０００９】
すなわち、第１の判断手段は、出力手段が出力位置に記録した情報を出力すると、出力位置を表わす情報に対応する番組名の情報が、出力位置に隣接しかつ情報を出力済みの位置を表わす情報に対応する番組名の情報に一致するか否かを判断する。第２の制御手段は、判断手段が番組名の情報は異なると判断した場合、出力位置を表わす情報に対応する番組名の情報を出力するように、出力手段を制御する。これにより、番組が代わると、番組名が表示される。番組名が表示されるので、ユーザは容易に番組名を知ることができる。その結果、連続して複数の番組を視聴する場合に、番組名を容易かつ確実に把握できるハードディスクレコーダを提供することができる。
【００１０】
本発明の他の局面にしたがうと、情報記録再生装置は、放送ならびに放送の番組名を受信するための受信手段と、放送が表わす映像の情報を記録するための第１の記録手段と、放送の番組名の情報を、第１の記録手段が映像の情報を記録した位置である記録位置の情報に、対応付けて記録するための第２の記録手段と、情報を出力するための出力手段と、出力手段に出力させる映像の情報を記録した第１の記録手段上の位置である出力位置の情報を記録するための第３の記録手段と、第１の記録手段から、出力位置に記録した情報を読出すための読出し手段と、読出し手段が読出した情報を出力するように出力手段を制御するための第１の制御手段と、出力手段が出力位置に記録した情報を出力すると、出力位置を表わす情報に対応する番組名の情報が、出力位置に隣接しかつ情報を出力済みの位置を表わす情報に対応する番組名の情報に一致するか否かを判断するための第１の判断手段と、出力手段が出力位置に記録した情報を出力すると、第３の記録手段が記録した情報を、出力位置に隣接しかつ情報を未出力の位置を表わす情報に更新するための更新手段と、判断手段が番組名の情報は異なると判断した場合、出力位置を表わす情報に対応する番組名の情報を出力するように、出力手段を制御するための第２の制御手段とを含む。
【００１１】
すなわち、第１の判断手段は、出力手段が出力位置に記録した情報を出力すると、出力位置を表わす情報に対応する番組名の情報が、出力位置に隣接しかつ情報を出力済みの位置を表わす情報に対応する番組名の情報に一致するか否かを判断する。第２の制御手段は、判断手段が番組名の情報は異なると判断した場合、出力位置を表わす情報に対応する番組名の情報を出力するように、出力手段を制御する。これにより、番組が代わると、番組名が表示される。番組名が表示されるので、ユーザは容易に番組名を知ることができる。その結果、連続して複数の番組を視聴する場合に、番組名を容易かつ確実に把握できる情報記録再生装置を提供することができる。
【００１２】
また、上述の記録位置の情報は、映像の情報を出力する時の間隔が一定となる位置それぞれについての複数の情報を含むことが望ましい。
【００１３】
すなわち、第１の判断手段は、出力手段が出力位置に記録した情報を出力すると、出力位置を表わす情報に対応する番組名の情報が、出力位置に隣接し映像の情報を出力する時の間隔が一定であって情報を出力済みの位置を表わす情報に対応する番組名の情報に一致するか否かを判断する。これにより、一定の時間ごとに番組が代わったか否かが判断されるので、いつまでも番組名が表示されないといった事態の発生が抑えられる。そのような事態の発生が抑えられるので、番組の表示が迅速化される。その結果、連続して複数の番組を視聴する場合に、番組名を迅速、容易かつ確実に把握できる情報記録再生装置を提供することができる。
【００１４】
また、上述の複数の情報は、複数の番組名の情報のいずれかに１対１で対応する情報を含むことが望ましい。
【００１５】
すなわち、第１の判断手段は、出力手段が出力位置に記録した情報を出力すると、出力位置を表わす情報に対応する番組名の情報が、出力位置に隣接し映像の情報を出力する時の間隔が一定であって情報を出力済みの位置を表わす情報に１対１で対応する番組名の情報に一致するか否かを判断する。これにより、番組名の情報を探す時間が短縮される。そのような時間が短縮されるので、番組が代わったか否かの判断が迅速化される。その結果、連続して複数の番組を視聴する場合に、番組名をより迅速、容易かつ確実に把握できる情報記録再生装置を提供することができる。
【００１６】
また、上述の出力手段は、情報を表示装置に出力するための手段を含むことが望ましい。あわせて第２の制御手段は、番組名の情報をスクロール表示する情報として出力するように、出力手段を制御するためのスクロール制御手段を含むことが望ましい。
【００１７】
すなわち、番組名はスクロール表示される。これにより、長い番組名であってもわずかなスペースで表示させることができる。その結果、連続して複数の番組を視聴する場合に、わずかなスペースを用いることによって番組名を容易かつ確実に把握できる情報記録再生装置を提供することができる。
【００１８】
また、上述のスクロール制御手段は、スクロール表示する情報を複数回出力するように、出力手段を制御するための手段を含むことが望ましい。
【００１９】
すなわち、番組名は複数回スクロール表示される。これにより、長い番組名であってもわずかなスペースで表示させることができる。あわせて、複数回表示されるので、ユーザはより確実に番組名を把握できる。その結果、連続して複数の番組を視聴する場合に、わずかなスペースを用いることによって番組名を容易かつより確実に把握できる情報記録再生装置を提供することができる。
【発明の効果】
【００２０】
本発明に係るハードディスクレコーダおよび情報記録再生装置は、連続して複数の番組を視聴する場合に、番組名を容易に把握できる。
【発明を実施するための最良の形態】
【００２１】
図１は、本発明の情報記録再生装置１００の構成を示す図である。本実施の形態に係る情報記録再生装置１００は、ハードディスクレコーダである。
【００２２】
図１において、チューナ１１は、システム制御回路１０からディジタル放送のチャンネル指定信号が供給された場合には、この指定されたチャンネルのディジタル放送波ならびにＥＰＧ（Electronic Program Guide）を受信する。ＥＰＧには、チューナが受信したディジタル放送の番組名が含まれている。この際、チューナ１１は、受信したディジタル放送波を復調することによりＭＰＥＧ(Moving Picture Experts Group)信号を得て、これをＭＰＥＧ信号ＭＡとしてハードディスク装置１２およびセレクタ１３の各々に供給する。これにより、ハードディスク装置１２は、チューナ１１が受信した放送が表わす映像の情報を記録することができる。また、チューナ１１は、システム制御回路１０からアナログテレビジョン放送(ＮＴＳＣ（National Television Standards Committee）方式、ＰＡＬ（Phase Alternation by Line）方式、またはＳＥＣＡＭ（SEquential Couleur A Memoire）方式)のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号ＭＢとしてハードディスク装置１２に供給する。
【００２３】
セレクタ１３は、上記ハードディスク装置１２から供給された再生ＭＰＥＧ信号ＲＭ、およびチューナ１１から供給されたＭＰＥＧ信号ＭＡの中から、システム制御回路１０から供給された選択信号に応じた方を択一的に選択し、これをＭＰＥＧデコーダ１７に供給する。ＭＰＥＧデコーダ１７は、セレクタ１３から供給されたＭＰＥＧ信号に対してＭＰＥＧ復号処理を施すことにより、映像信号を得てこれを映像信号ＤAVとしてセレクタ１８に供給する。
【００２４】
クロック１５は、システム制御回路１０の信号に応じて、時刻を検出する。時刻が検出されると、クロック１５は、検出した時刻を表わす情報をシステム制御回路１０に出力する。
【００２５】
メモリ１６は、情報を記録する。本実施の形態の場合、メモリ１６は、３つの領域を含む。第１の領域は、タイムシフト管理情報を記録する領域である。「タイムシフト管理情報」とは、チューナ１１が受信した放送の番組名の情報、およびアドレスを、対応付けた情報のことをいう。ここでいう「アドレス」とは、ハードディスク装置１２が映像の情報を記録した位置の情報のことをいう。ただし本実施の形態の場合、アドレスとして、位置そのものを表わす情報（すなわち技術用語として一般的な意味でのアドレスそのもの）の代わりに、「再生時間」を用いる。「再生時間」とは、記録された映像の再生を開始してから、アドレスで特定しようとする映像が表示されるまでに必要な時間をいう。以後の説明において、特に説明しない限り、「アドレス」とある場合、技術用語として一般的な意味でのアドレスの代わりに再生時間を意味することとする。ただし、このような説明は、技術用語として一般的な意味でのアドレスそのものを用いて情報を処理することを否定するものではない。ハードディスク装置１２が映像の情報を記録した位置を特定できるのであれば、アドレスそのものが用いられても、再生時間が用いられても、その他の情報が用いられてもよい。メモリ１６が含む第２の領域は、プレイポイントを記録する領域である。「プレイポイント」とは、セレクタ１８に出力させる映像の情報のアドレスをいう。メモリ１６が含む第３の領域は、その他の情報を記録する領域である。
【００２６】
ＯＳＤ(On Screen Display)画像生成回路１９は、システム制御回路１０から供給された各種メッセージ表示指令に応じた画像を表示させるべきメッセージ画像信号ＤC を生成し、これをセレクタ１８に供給する。セレクタ１８は、上記映像信号ＤAVおよびメッセージ画像信号ＤC （ひいてはこれらの信号が表わす情報）の中から、システム制御回路１０から供給された選択信号に応じた方を択一的に選択し、これをディスプレイ装置２００に供給する。
【００２７】
ディスプレイ装置２００は、情報記録再生装置１００から供給された上記映像信号ＤAV、またはメッセージ画像信号ＤC に基づく画像表示を行なう。
【００２８】
操作装置２２は、ユーザからの、放送チャンネル指定操作、録画済み番組指定操作、録画指令操作、再生指令操作、録画停止操作、および、再生停止操作等を受付け、その操作に応じた各種操作信号をシステム制御回路１０に供給する。尚、操作装置２２は、情報記録再生装置１００の筐体とは分離しているリモートコントローラであっても良い。
【００２９】
操作装置２２を用いたユーザによる各種操作に応じて、システム制御回路１０は、情報記録再生装置１００に、テレビモニタ、録画、タイムシフト再生を実施させることができる。
【００３０】
テレビモニタは、動作放送中の番組をリアルタイムで視聴するための動作である。この場合、ユーザは、上記操作装置２２を用いて所望の放送チャンネルを指定すべき放送チャンネル指定操作を行なう。かかる操作に応じて、システム制御回路１０は、この所望放送チャンネルの番組を受信させるべきチャンネル指定信号をチューナ１１に供給する。これと同時に、システム制御回路１０は、上記チューナ１１から出力されたＭＰＥＧ信号ＭＡを択一的にＭＰＥＧデコーダ１７に導出すべき選択信号をセレクタ１３に供給する。さらに、システム制御回路１０は、ＭＰＥＧデコーダ１７から出力された音声信号ＤAVを択一的にディスプレイ装置２００に導出すべき選択信号をセレクタ１８に供給する。
【００３１】
このような制御がなされることにより、チューナ１１によって受信および復調して得られたＭＰＥＧ信号ＭＡは、セレクタ１３を介してＭＰＥＧデコーダ１７に供給される。そして、ＭＰＥＧデコーダ１７にて復号された音声信号ＤAVが、セレクタ１８を介してディスプレイ装置２００に供給されることになる。これにより、ディスプレイ装置２００は、チューナ１１にて受信された所望チャンネルのディジタル放送番組をリアルタイムで画像表示することになる。
【００３２】
録画動作は、上述したようにチューナ１１にて受信された番組を録画するための動作である。この場合、ユーザは、上記操作装置２２を用いて録画を指令する旨の操作を行なう。このような操作に応じて、システム制御回路１０は、信号をハードディスク装置１２に供給すると共に、ライトポジションカウンタ（図示略）の現在のカウント値を取込み、これをライトポジションＷＰとしてハードディスク装置１２に供給する。さらに、システム制御回路１０は、チューナ１１にて受信して得られた上記ＭＰＥＧ信号ＭＡまたはＭＢのビットレートに応じた記録速度信号ＳW を求め、これを内蔵レジスタ（図示略）に記憶させると共に、ライトポジションカウンタに供給する。これにより、ハードディスク装置１２は、ピックアップ装置１２１を備え、上記ＭＰＥＧ信号ＭＡまたはＭＢを上記ライトポジションＷＰにて示されるハードディスク本体１２０内の位置から上記記録速度信号ＳW に応じた速度で、ピックアップ装置１２１を用いて、順次記録していく。
【００３３】
タイムシフト再生動作とは、上記したような録画動作と同時に、録画済みの番組の再生を行なう、いわゆるタイムシフト再生を実施するための動作である。この場合、ユーザは、上記操作装置２２を用いて再生を指令する旨の操作および録画済み番組を指定する操作を行なう。このような操作に応じて、システム制御回路１０は、再生を指令する旨の信号をハードディスク装置１２に供給すると共に、プレイポイントカウンタの現在のカウント値を取込み、これをプレイポイントＷＰとしてハードディスク装置１２に供給する。さらに、システム制御回路１０は、ハードディスク本体１２０に記録された信号のビットレートに応じた速度を表す信号ＳR を求め、これを内蔵レジスタ（図示略）に記憶させると共に、プレイポイントカウンタに供給する。これにより、ハードディスク装置１２のピックアップ装置１２１は、ハードディスク本体１２０から、上述した信号ＳR に応じた速度で、信号（ひいてはハードディスク本体１２０が記録した情報）を順次読出す。
【００３４】
図２に、操作装置２２の平面図を示す。上記した操作装置２２を用いての各操作を、操作装置２２に備えられたキーを用いて説明する。
【００３５】
放送チャンネル指定操作は、０〜９の各数字に対応して設けられたテンキー２２９を用いて行なわれる。
【００３６】
録画済み番組指定操作は、ハードディスク装置１２に記録されている番組の一覧を表示する画面に対してテンキー２２９を用いて番組を特定し、決定キー２２２が操作されることにより当該特定された番組が指定されることによって、行なわれる。
【００３７】
録画指令操作は、録画キー２２３が操作されることにより行なわれる。
【００３８】
再生指令操作は、再生キー２２４が操作されることにより行なわれる。
【００３９】
録画停止操作、および、再生停止操作は、録画動作中または再生動作中に停止キー２２５が操作されることにより行なわれる。
【００４０】
また、電源キー２２１が操作されることにより、情報記録再生装置１００への電源の投入のＯＮ−ＯＦＦが切替えられる。早送りキー２２８が操作されることにより、録画された画像の再生位置が早送りされ、巻き戻しキー２２７が操作されることにより、録画された画像の再生位置が巻き戻しされる。一時停止キー２２６が操作されることにより、再生中の録画画像の再生動作が一時停止され、また、一時停止中の再生動作が再開される。
【００４１】
図３を参照して、情報記録再生装置１００で実行されるプログラムは、タイトルの記録処理に関し、以下のような制御構造を有する。
【００４２】
ステップ１００（以下、ステップをＳと略す。）にて、システム制御回路１０は、カウンタを「０」に設定する。Ｓ１０２にてチューナ１１は、アンテナを介してＥＰＧを読込む。Ｓ１０４にて、クロック１５は時刻を検出する。Ｓ１０６にて、システム制御回路１０は、ＥＰＧからタイトルを抽出する。
【００４３】
Ｓ１０８にて、システム制御回路１０は、タイムシフト管理情報にタイトルと時刻とを記録する。Ｓ１１０にて、チューナ１１は、アンテナを介して受信した電波を信号に変換する。Ｓ１１２にて、ハードディスク装置１２は、ＭＰＥＧエンコーダ１４が圧縮した信号を記録する。Ｓ１１４にて、システム制御回路１０は、ライトポジションカウンタに「１」を加算する。
【００４４】
Ｓ１１６にて、システム制御回路１０は、ライトポジションカウンタの値がＥＰＧを読込む周期に達したか否かを判断する。ＥＰＧを読込む周期に達したと判断した場合（Ｓ１１６にてＹＥＳ）、処理はＳ１００へと移される。もしそうでないと（Ｓ１１６にてＮＯ）、処理はＳ１０４へと移される。
【００４５】
図４を参照して、情報記録再生装置１００で実行されるプログラムは、番組名の表示処理に関し、以下のような制御構造を有する。
【００４６】
Ｓ１５０にて、ピックアップ装置１２１は、ハードディスク本体１２０から、プレイポイントに記録した情報を読出す。システム制御回路１０は、セレクタ１３およびＭＰＥＧデコーダ１７を介して、ピックアップ装置１２１が読出した情報を出力するようにセレクタ１８を制御する。これにより、番組が再生される。番組が再生されると（セレクタ１８がプレイポイントに記録した情報を出力すると）、システム制御回路１０は、プレイポイントを、現在のプレイポイントに隣接しかつ情報を未出力のアドレスに更新する。システム制御回路１０は、次の手順により、プレイポイントに対応する番組名の情報が、プレイポイントに隣接しかつ情報を出力済みのアドレスに対応する番組名の情報に一致するか否かを判断する。第１の手順は、システム制御回路１０が、現在再生中の番組の番組名とこのステップの直前に再生されていた番組の番組名とを読取る手順である。これらの番組名は、システム制御回路１０が特定する。現在再生中の番組の番組名は、プレイポイントと番組が記録されたアドレスとを対比することにより特定される。プレイポイントはバッファに記録されている。番組が記録されたアドレスは、タイムシフト管理情報に含まれている。図５を参照して、本実施の形態におけるタイムシフト管理情報の内容を説明する。タイムシフト管理情報に含まれるアドレスは、映像の情報を出力する時の間隔が一定となる位置（本実施の形態の場合、再生時間の差が１分となるアドレス）それぞれについての複数の情報からなる。番組自体をあらわす情報が記録されたアドレスは、番組名と１対１で対応するように記録されている。このアドレスは、再生時間にして１分ごとに記録されている。１つのアドレスに１つの番組名のデータが記録されている。別のアドレスに記録された情報が同じ番組を表わす場合、それらは同じ番組名を表わす情報とそれぞれ１組となって記録される。このステップの直前に再生されていた番組の番組名は、このステップの直前におけるプレイポイントと番組が記録されたアドレスとを対比することにより特定される。このステップの直前におけるプレイポイントは、システム制御回路１０が、１つのステップを経る間に再生される情報の数（この場合、「情報の数」とは、情報量をアドレスが表わす位置１つあたりの情報量で除算し、小数点以下の値を繰上げた数をいう）を、プレイポイントが表わすアドレスの値から差引くことにより求める。１つのステップを経る間に再生される情報の数は、固定値として予め設定されている。本実施の形態の場合、現在再生中の番組の番組名とこのステップの直前に再生されていた番組の番組名とを読取る方法は、以上の通りである。ただし、現在再生中の番組の番組名とこのステップの直前に再生されていた番組の番組名とを読取る方法は、このような方法に限定されるものではない。第２の手順は、システム制御回路１０が、それらを対比することにより、番組が変わったか否かを判断する手順である。番組が変わったと判断した場合（Ｓ１５０にてＹＥＳ）、処理はＳ１５２へと移される。もしそうでないと（Ｓ１５０にてＮＯ）、処理はＳ１５４へと移される。
【００４７】
Ｓ１５２にて、システム制御回路１０は、ＯＳＤ画像生成回路１９に、現在再生中の番組の番組名を出力する。ＯＳＤ画像生成回路１９は、システム制御回路１０が出力した情報に応じてディスプレイ装置２００に出力する情報を生成する。ＯＳＤ画像生成回路１９は、生成した情報をセレクタ１８に出力する。セレクタ１８は、ＯＳＤ画像生成回路１９が出力した情報をディスプレイ装置２００に出力する。ディスプレイ装置２００は、セレクタ１８が出力した情報を表示する。
【００４８】
Ｓ１５４にて、クロック１５は、現在の時刻を検出する。クロック１５は、検出した時刻をシステム制御回路１０に出力する。システム制御回路１０は、クロック１５が出力した時刻とバッファに記録された時刻（番組名を最初に出力した時刻）との差を算出し、かつその差が予め定められたしきい値以上であるか否かを判断することにより、番組を表示して一定時間が経過したか否かを判断する。番組を表示して一定時間が経過したと判断した場合（Ｓ１５４にてＹＥＳ）、処理はＳ１５６へと移される。もしそうでないと（Ｓ１５４にてＮＯ）、処理はＳ１５０へと移される。Ｓ１５６にて、システム制御回路１０は、番組名の表示を消去させる。すなわち、システム制御回路１０は、セレクタ１３、ＭＰＥＧデコーダ１７、およびセレクタ１８を介して、ディスプレイ装置２００にハードディスク装置１２から読出した画像を表示させる。
【００４９】
以上のような構造およびフローチャートに基づく、情報記録再生装置１００の動作について説明する。
【００５０】
システム制御回路１０は、カウンタを「０」に設定する（Ｓ１００）。カウンタが「０」に設定されると、チューナ１１はアンテナを介してＥＰＧを読込む（Ｓ１０２）。ＥＰＧが読込まれると、クロック１５は、時刻を検出する（Ｓ１０４）。時刻が検出されると、システム制御回路１０は、ＥＰＧからタイトルを抽出する（Ｓ１０６）。当初、チューナ１１が受信する番組は番組（１）である。これにより、ＥＰＧから抽出されるタイトルは「番組（１）」となる。タイトルが抽出されると、システム制御回路１０は、タイムシフト管理情報にタイトルと時刻とを記録する（Ｓ１０８）。タイトルと時刻とが記録されると、チューナ１１は、アンテナが受信した電波を信号に変換する（Ｓ１１０）。電波が信号に変換されると、ハードディスク装置１２は、ＭＰＥＧエンコーダ１４が圧縮した信号を記録する（Ｓ１１２）。信号が記録されると、システム制御回路１０は、カウンタに「１」を加算する（Ｓ１１４）。カウンタに「１」が加算されると、システム制御回路１０は、カウンタの値がＥＰＧを読込む周期に達したか否かを判断する（Ｓ１１６）。当初、カウンタの値は、ＥＰＧを読込む周期に達していないので（Ｓ１１６にてＮＯ）、Ｓ１０４〜Ｓ１１４の処理が繰返される。その後、番組（１）の放送時間が終了し、番組（２）の放送時間が到来した後、再びシステム制御回路１０は、ＥＰＧからタイトルを抽出している（Ｓ１０６）。タイトルが抽出されると、システム制御回路１０は、タイムシフト管理情報にタイトル「番組（２）」と時刻とを記録する（Ｓ１０８）。以後、同様にＳ１００〜Ｓ１１６の処理が繰返される。
【００５１】
そのまま録画が継続されると、ハードディスク装置１２には複数の番組が記録されることとなる。図６は、ハードディスク装置１２のタイムシフト領域すべてに番組のデータが記録された状況を示す。ハードディスク装置１２のタイムシフト領域には「番組（１）」〜「番組（３）」が記録されている。
【００５２】
このとき、ディスプレイ装置２００には、既に「番組（１）」が表示されていることとする。一方、ハードディスク装置１２には「番組（３）」が録画されていることとする。図６は、この状況およびハードディスク装置１２のタイムシフト領域に記録された番組の配置を表わす図である。この図に表わされた時点で、システム制御回路１０は、番組が変わったか否かを判断する（Ｓ１５０）。この場合、ディスプレイ装置２００で表示される番組は「番組（１）」から「番組（２）」に変わったばかりなので（Ｓ１５０にてＹＥＳ）、システム制御回路１０は、ディスプレイ装置２００に、プレイポイントに対応する番組名を出力するように、ＯＳＤ画像生成回路１９を介してセレクタ１８を制御する（Ｓ１５２）。図７を参照して、このときディスプレイ装置２００に番組名が表示されている状況を示す。番組名は画面の右上の隅に表示される。番組名が表示されると、システム制御回路１０は、番組を表示して一定時間が経過したか否かを判断する（Ｓ１５４）。当初、一定時間はまだ経過していないので（Ｓ１５４にてＮＯ）、Ｓ１５０〜Ｓ１５４の処理が繰返される。最終的に、番組を表示して一定時間が経過するので（Ｓ１５４にてＹＥＳ）、システム制御回路１０は、ＯＳＤ画像生成回路１９およびセレクタ１８を介して、番組名の表示を消す（Ｓ１５６）。
【００５３】
以上のようにして、本実施の形態に係る情報記録再生装置は、再生中の番組が変わると新たな番組の番組名を表示させることができる。これにより、ユーザは自らが視聴している番組の番組名を容易に把握することができる。その結果、連続して複数の番組を視聴すする場合に、番組明を容易に把握できる情報記録再生装置を提供することができる。
【００５４】
なお、Ｓ１５２にて、システム制御回路１０は、番組名をスクロール表示する情報として出力するように、ＯＳＤ画像生成回路１９およびセレクタ１８を制御してもよい。あわせて、システム制御回路１０は、番組名の情報を複数回出力するように、ＯＳＤ画像生成回路１９およびセレクタ１８を制御してもよい。この場合、番組名が複数回スクロール表示されることとなる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】本発明の実施の形態に係る情報記録再生装置の制御ブロック図である。
【図２】本発明の実施の形態に係る操作装置の外観図である。
【図３】本発明の実施の形態に係る情報記録再生装置のタイトル名記録処理の制御の手順を示すフローチャートである。
【図４】本発明の実施の形態に係る情報記録再生装置の番組名の表示処理の制御の手順を示すフローチャートである。
【図５】本発明の実施の形態に係るタイムシフト管理情報の内容を示す図である。
【図６】本発明の実施の形態に係るタイムシフト領域における情報の再生点および録画点を表わす図である。
【図７】本発明の実施の形態に係るディスプレイ装置の表示の内容を示す図である。
【符号の説明】
【００５７】
１０  システム制御回路、１１  チューナ、１２  ハードディスク装置、１３，１８  セレクタ、１４  ＭＰＥＧエンコーダ、１５  クロック、１６  メモリ、１７  ＭＰＥＧデコーダ、１９  ＯＳＤ画像生成回路、２２  操作装置、１００  情報記録再生装置、１２０  ハードディスク本体、１２１  ピックアップ装置、２００  ディスプレイ装置、２２１  電源キー、２２２  決定キー、２２３  録画キー、２２４  再生キー、２２５  停止キー、２２６  一時停止キー、２２７  巻き戻しキー、２２８  早送りキー、２２９  テンキー。
【図１】
2006041727.tif 000003
【図２】
2006041727.tif 000004
【図３】
2006041727.tif 000005
【図４】
2006041727.tif 000006
【図５】
2006041727.tif 000007
【図６】
2006041727.tif 000008
【図７】
2006041727.tif 000009